(57)【要約】【課題】複数の面状発光モジュールを用いた内照式照明装置において、輝度ムラの発生を抑制しながら装置の薄型化を図ることを可能とする内照式照明装置を提供する。【解決手段】この内照式照明装置は、相互の間に隙間領域５４Ｓを有するように配置された複数の面状発光パネル１０と、複数の面状発光パネル１０への電力供給を制御する駆動回路基板３２０と、複数の面状発光パネル１０と対向する位置に配置され、面状発光パネル１０から照射される光を受ける照明パネルと、隙間領域５４Ｓに配置され、面状発光パネル１０から照射された光を照明パネル側に反射する光学部材２００とを備え、駆動回路基板３２０は、光学部材２００によって覆われるように隙間領域５４Ｓに配置されている。【選択図】図８
2015002041.tif 000002
【特許請求の範囲】
【請求項１】
相互の間に隙間領域を有するように配置された複数の面状発光パネルと、
複数の前記面状発光パネルへの電力供給を制御する駆動回路基板と、
複数の前記面状発光パネルと対向する位置に配置され、前記面状発光パネルから照射される光を受ける照明パネルと、
前記隙間領域に配置され、前記面状発光パネルから照射された光を前記照明パネル側に反射する光学部材と、を備え、
前記駆動回路基板は、前記光学部材によって覆われるように前記隙間領域に配置されている、内照式照明装置。
【請求項２】
複数の前記面状発光パネル、前記光学部材、および前記駆動回路基板は、同一の支持部材に取付られている、請求項１に記載の内照式照明装置。
【請求項３】
前記光学部材は、前記隙間領域に前記照明パネル側から着脱可能に取付られている、請求項１または２に記載の内照式照明装置。
【発明の詳細な説明】
【技術分野】
【０００１】
本発明は、複数の面状発光パネルを用いた内照式照明装置の構造に関する。
【背景技術】
【０００２】
近年、有機ＥＬ（Organic  Electroluminescence）等を利用した面状発光の照明装置が提案されている。この照明装置を大型化しようとした場合、面状発光パネル（面状発光素子）を構成する基板を大型化することで対応できる。
【０００３】
しかし、製造装置の大型化、製造における歩留まりの悪化等の問題が発生する。製造が容易な大きさの面状発光パネルを複数平面状に並べることによって、大型化の照明装置を得る技術が、特開２００５−２６６２８５号公報（特許文献１）および特開２００６−２２４６９７号公報（特許文献２）に提案されている。
【０００４】
面状発光パネルを複数並べた（タイリングした）照明装置等の場合には、設置場所の制約およびメンテナンスの容易さから、照明装置の前面から面状発光パネルの取り付けが可能である構成が望まれる。
【０００５】
さらに、意匠上および建築上の理由から、照明装置の厚さを抑えたい場合があり、厚みを抑えることができる照明装置が、特開２０１２−１２４１５９号公報（特許文献４）に提案されている。
【０００６】
しかしながら、特許文献１に開示される照明装置では、複数配置した面状発光パネルと面状発光パネルとの間の隙間領域に生じる非発光領域と面状発光パネルの発光領域との間で輝度差（輝度ムラ）が発生する。その結果、均一な面状発光を有する照明装置を提供することが困難となる。
【０００７】
面状発光パネルと面状発光パネルとの間の隙間領域における非発光領域に反射材を配置して、発光領域と非発光領域との間の輝度差（輝度ムラ）を解消する構成が、特開２０１０−０３３８１８号公報に提案されている（特許文献３）。
【先行技術文献】
【特許文献】
【０００８】
【特許文献１】特開２００５−２６６２８５号公報
【特許文献２】特開２００６−２２４６９７号公報
【特許文献３】特開２０１０−０３３８１８号公報
【特許文献４】特開２０１２−１２４１５９号公報
【発明の概要】
【発明が解決しようとする課題】
【０００９】
しかし、特許文献３に開示される構成では、発光面側の輝度差（輝度ムラ）の発生の抑制を期待することはできる。しかし、発光パネルの発光に用いるための駆動回路基板、電源、コネクター等の配置については、何ら検討されていない。特許文献２では、発光パネルに用いる駆動回路基板を発光パネルの発光面とは反対の後方面側に配置している。その結果、照明装置としての厚みが増加してしまう。
【００１０】
この発明は上記課題に鑑みてなされたものであり、複数の面状発光モジュールを用いた内照式照明装置において、輝度ムラの発生を抑制しながら装置の薄型化を図ることを可能とする内照式照明装置を提供することを目的とする。
【課題を解決するための手段】
【００１１】
この発明に基づいた照明装置においては、相互の間に隙間領域を有するように配置された複数の面状発光パネルと、複数の上記面状発光パネルへの電力供給を制御する駆動回路基板と、複数の上記面状発光パネルと対向する位置に配置され、上記面状発光パネルから照射される光を受ける照明パネルと、上記隙間領域に配置され、上記面状発光パネルから照射された光を上記照明パネル側に反射する光学部材とを備える。
【００１２】
上記駆動回路基板は、上記光学部材によって覆われるように上記隙間領域に配置されている。
【００１３】
他の形態では、複数の上記面状発光パネル、上記光学部材、および上記駆動回路基板は、同一の支持部材に取付られている。
【００１４】
他の形態では、上記光学部材は、上記隙間領域に上記照明パネル側から着脱可能に取付られている。
【発明の効果】
【００１５】
この発明によれば、複数の面状発光モジュールを用いた内照式照明装置において、輝度ムラの発生を抑制しながら装置の薄型化を図ることを可能とする内照式照明装置を提供することを可能とする。
【図面の簡単な説明】
【００１６】
【図１】実施の形態における内照式照明装置の内部を示す正面図である。
【図２】図１中ＩＩ−ＩＩ線矢視断面図である。
【図３】実施の形態における内照式照明装置に用いられる面状発光パネルを示す平面図である。
【図４】図３中ＩＶ−ＩＶ線矢視断面図である。
【図５】実施の形態における内照式照明装置の面状発光モジュールの全体斜視図である。
【図６】実施の形態における内照式照明装置の光学部材を除く面状発光モジュールの正面図である。
【図７】実施の形態における内照式照明装置の面状発光ユニットに装着される光学部材の構造を示す全体斜視図である。
【図８】実施の形態における内照式照明装置の面状発光ユニットに装着される光学部材の反射部材を取り外した状態を示す平面図である。
【図９】図８中のＩＸ−ＩＸ線矢視図である。
【図１０】実施の形態における内照式照明装置の面状発光ユニットに装着される光学部材の他の構造を示す斜視図である。
【図１１】実施の形態における内照式照明装置の面状発光ユニットに装着される光学部材のさらに他の構造を示す斜視図である。
【図１２】だるま穴の形状を示す図である。
【図１３】実施の形態における内照式照明装置の面状発光ユニットに装着される光学部材のさらに他の構造を示す斜視図である。
【発明を実施するための形態】
【００１７】
本発明に基づいた各実施の形態における内照式照明装置について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１８】
（内照式照明装置１）
図１および図２を参照して、本実施の形態における内照式照明装置１について説明する。図１は、内照式照明装置１の内部を示す正面図、図２は、図１中ＩＩ−ＩＩ線矢視断面図である。
【００１９】
本実施の形態における内照式照明装置１は、発光面側に照明パネル６０を有し、面状発光ユニット１３０から照射される光が照明パネル６０の内面から外面に向けて照射される。図１では、内照式照明装置１の内部に収容される、４枚の面状発光ユニット１３０の正面図のみを図示している。
【００２０】
１台の面状発光ユニット１３０は、図１中のＡ−Ａで仕切られる領域からなり、本実施の形態では、４台の面状発光ユニット１３０を、２行×２列の状態で組み合わせて内照式照明装置１を構成している。
【００２１】
隣接する面状発光ユニット１３０の間（隙間領域）には、面状発光モジュール１００から照射された光を照明パネル６０側に反射する第３光学部材５００（合計４か所）が設けられている。
【００２２】
図２を参照して、内照式照明装置１の内部構造の概略について説明する。本実施の形態の内照式照明装置１は、上述したように、４台の面状発光ユニット１３０を組み合わせて構成されている。さらに１台の面状発光ユニット１３０は、４台の面状発光モジュール１００を、２行×２列の状態で組み合わせて構成されている。さらに、１台の面状発光モジュール１００は、４枚の面状発光パネル１０を、２行×２列の状態で組み合わせて構成されている。
【００２３】
内照式照明装置１の最も表面側には、照明パネル６０が位置している。この照明パネル６０は、支持部材の一例として筺体（図示省略）に支持されている。筺体は図示しない壁面等に固定される。照明パネル６０は、光透過性を有する材料で構成され、一般的にはアクリル樹脂等が用いられる。照明パネル６０は、輝度ムラの発生を抑制するため、光散乱効果を有する部材を用いるとよい。
【００２４】
面状発光パネル１０は、発光モジュール１００を構成する支持部材としてのモジュールパネル５４に対して、両面テープ１２０等を用いて固定されている。発光モジュール１００は、面状発光ユニット１３０を構成するユニットパネル７０に対して着脱可能に支持されている。
【００２５】
面状発光パネル１０と隣接する面状発光パネル１０との間に生じる隙間領域５４Ｓには、第１光学部材２００が、モジュールパネル５４に対して着脱可能に設けられている。発光モジュール１００と隣接する発光モジュール１００との間に生じるユニットパネル７０の隙間領域７０Ｓには、第２光学部材４００が、ユニットパネル７０に対して着脱可能に設けられている。
【００２６】
第１光学部材２００および第２光学部材４００は、いずれも断面形状が照明パネル６０側に頂部が位置する略台形形状を有し、面状発光パネル１０から照射された光を照明パネル６０側に反射する。これにより、照明パネル６０を表面側から観察した場合の輝度ムラの発生を抑制する。
【００２７】
（面状発光パネル１０）
図３および図４を参照して、本実施の形態における面状発光パネル１０の構成について説明する。本実施の形態における面状発光パネル１０は、有機ＥＬから構成される。面状発光パネル１０は、複数の発光ダイオード（ＬＥＤ）と拡散板とから面状の面状発光パネルとして構成されていてもよいし、冷陰極管等を用いて面状の面状発光パネルとして構成されていてもよい。
【００２８】
図３は、面状発光パネル１０を示す平面図である。図３は、面状発光パネル１０の背面１９の側から面状発光パネル１０を見たときの様子を示している。図４は、図３中のＩＶ−ＩＶ線に沿った矢視断面図である。
【００２９】
図３および図４を参照して、面状発光パネル１０は、透明基板１１（カバー層）、陽極１４、有機層１５、陰極１６、封止部材１７および絶縁層１８を含む。透明基板１１は、面状発光パネル１０の表面１２（発光面）を形成し、透明基板１１の外周端面は、面状発光パネル１０の外周１０Ｅを形成している。陽極１４、有機層１５および陰極１６は、透明基板１１の裏面１３上に順次積層される。封止部材１７は、面状発光パネル１０の背面１９を形成している。
【００３０】
透明基板１１は、たとえば各種のガラス基板から構成される。透明基板１１を構成する部材としては、ＰＥＴ（Polyethylene  Terephthalate）またはポリカーボネート等のフィルム基板が用いられてもよい。陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。フォトリソグラフィ法等によりＩＴＯ膜が所定の形状にパターニングされることによって、陽極１４が形成される。陽極１４は、電極取出部２１（陽極用）および電極取出部２２（陰極用）を形成するために、パターニングによって２つの領域に分割されている。
【００３１】
有機層１５（発光部）は、電力を供給されることによって光（可視光）を生成することができる。有機層１５は、単層の発光層から構成されていてもよく、正孔輸送層、発光層、正孔阻止層、および電子輸送層などが順次積層されることによって構成されていてもよい。陰極１６は、たとえばアルミニウム（ＡＬ）である。陰極１６は、真空蒸着法等によって有機層１５を覆うように形成される。陰極１６を所定の形状にパターニングするために、真空蒸着の際にはマスクが用いられるとよい。
【００３２】
陰極１６と陽極１４とが短絡しないように、陰極１６と電極取出部２１側の陽極１４との間に絶縁層１８が設けられる。陰極１６の絶縁層１８が設けられる側とは反対側の部分は、電極取出部２２側の陽極１４に接続される。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００３３】
封止部材１７は、絶縁性を有する樹脂またはガラス基板などから構成される。封止部材１７は、有機層１５を水分等から保護するために形成される。封止部材１７は、陽極１４、有機層１５、および陰極１６（面状発光パネル１０の内部に設けられる部材）の略全体を透明基板１１上に封止する。陽極１４の一部は、電気的な接続のために、封止部材１７から露出している。
【００３４】
陽極１４の封止部材１７から露出している（図４左側の）部分は、電極取出部２１（陽極用）を構成する。電極取出部２１と陽極１４とは互いに同じ材料で構成される。電極取出部２１は、面状発光パネル１０の外周に位置する。陽極１４の封止部材１７から露出している（図４右側の）部分は、電極取出部２２（陰極用）を構成する。電極取出部２２と陽極１４とは互いに同じ材料で構成される。電極取出部２２も、面状発光パネル１０の外周に位置する。
【００３５】
電極取出部２１および電極取出部２２は、有機層１５を挟んで相互に反対側に位置している。隣り合う電極取出部２１および電極取出部２２同士の間には、分割領域２０（図３参照）が形成されている。電極取出部２１および電極取出部２２には、はんだ付け（銀ペースト）等を用いて配線パターン（図示せず）が取り付けられる。
【００３６】
以上のように構成される面状発光パネル１０の表面１２が発光領域となる。面状発光パネル１０の有機層１５には、外部の電源装置から、図示しない配線パターン、電極取出部２１，２２、陽極１４および陰極１６を通して電力が供給される。有機層１５で生成された光は、陽極１４および透明基板１１を通して、表面１２（発光面）から外部に取り出される。
【００３７】
透明基板１１には透明なガラスのほか、光透過性のフィルム、たとえば、ポリイミド、ポリエチレンナフタレート（ＰＥＮ）、ポリエチレンテレフタレート（ＰＥＴ）、ポリスチレン（ＰＳ）、ポリエーテルサルフォン（ＰＥＳ）、ポリカーボネート（ＰＣ）、ポリプロピレン（ＰＰ）等が用いられる。
【００３８】
陽極（アノード）１４には光透過性の材料、たとえば、インジウムチタンオキサイド（ＩＴＯ）またはポリエチレンジオキシチオフェン（ＰＥＤＯＴ）が用いられる。陰極（カソード）１６には、たとえば、アルミニウム（Ａｌ）、フッ化リチウム（ＬｉＦ）、ＡｌとＣａとの積層、ＡｌとＬｉＦとの積層、および、ＡｌとＢａとの積層等が用いられる。
【００３９】
封止部材１７には、ＰＥＴ、ＰＥＮ、ＰＳ、ＰＥＳ、ポリイミド等のフィルムに、ＳｉＯ２、ＡＬ２Ｏ３、ＳｉＮｘ等の無機薄膜と柔軟性のあるアクリル樹脂薄膜などを層状に複数層重ね合わせることでガスバリア性を備えたものが用いられる。電極取出部２１および電極取出部２２には、さらに金、銀、銅などを積層してもよい。
【００４０】
（面状発光モジュール１００）
図５から図７を参照して、面状発光モジュール１００について説明する。図５は、面状発光モジュール１００の全体斜視図、図６は、内照式照明装置１の第１光学部材２００を除く面状発光モジュール１００の正面図、図７は、第１光学部材２００の構造を示す全体斜視図である。
【００４１】
図５および図６を参照して、面状発光モジュール１００は、モジュールパネル５４の上に、２行×２列に合計４枚の面状発光パネル１０が両面テープ１２０を用いて固定されている。本実施の形態では、面状発光モジュール１００は、１００ｍｍ×１００ｍｍの正方形の大きさを有している。
【００４２】
上下左右に隣接する面状発光モジュール１００と隙間領域５４Ｓの間隔は、１５ｍｍである。面状発光モジュール１００の大きさ、隙間領域５４Ｓの間隔は、内照式照明装置１の仕様に応じて任意の寸法が選択される。
【００４３】
モジュールパネル５４の隙間領域５４Ｓには、平面視において十字形状の第１光学部材２００が取り付けられている。
【００４４】
図６を参照して、モジュールパネル５４の隙間領域５４Ｓには、面状発光モジュール１００を面状発光ユニット（図示省略）に固定する際に用いられる、固定用穴５４ａが設けられている。
【００４５】
さらに、モジュールパネル５４の隙間領域５４Ｓには、第１光学部材２００を取り付ける際に用いられる、位置決め用ピン５４ｐが立設されるとともに、固定用穴５４ｂが設けられている。固定用穴５４ｂには雌ねじが形成されている。これにより、第１光学部材２００を発光面側から取付可能とする。
【００４６】
（第１光学部材２００）
図７を参照して、第１光学部材２００について説明する。図７は、第１光学部材２００の構造を示す全体斜視図である。第１光学部材２００は、平面視において十字形状のベース部材２０１を有する。ベース部材２０１には、モジュールパネル５４に設けられた位置決め用ピン５４ｐに対応する位置に位置決め用穴２０１ａ、および固定用穴５４ｂに対応する位置に固定用穴２０１ｂが形成されている。
【００４７】
位置決め用穴２０１ａには、モジュールパネル５４に設けられた位置決め用ピン５４ｐが嵌合され、第１光学部材２００の位置決を行なうことができる。発光面側から固定用穴２０１ｂにボルトを挿通し、ベース部材２０１をモジュールパネル５４の隙間領域５４Ｓに固定することができる。
【００４８】
ベース部材２０１には、後述するように、ＡＣ／ＤＣ電源、駆動回路基板、ケーブル等を固定するための穴が設けられているが、図７においては、図示を省略している。
【００４９】
第１光学部材２００は、断面形状が照明パネル６０側に頂部が位置する略台形形状を有する反射部材２１０を有する。反射部材２１０には、ビス穴２１０ａが設けられている。ベース部材２０１には、反射部材２１０を支持する立壁部２０２が設けられ、この立壁部２０２には、反射部材２１０のビス穴２１０ａに対応する位置に固定用雌ねじ穴２０２ａが設けられている。ベース部材２０１をモジュールパネル５４に固定した後、ビス２３０を用いて、反射部材２１０をベース部材２０１に固定することができる。
【００５０】
第１光学部材２００の斜面の傾斜角度（反射面同士の間に形成される内角）は、たとえば４５°である。この頂角の値は、３０°〜９０°の間で適宜変更してもよい。
【００５１】
第１光学部材２００を用いることで、非発光部（隙間領域５４Ｓ）の輝度低下を抑え均一な発光を実現する。さらに、第１光学部材２００を隙間領域５４Ｓに配置することで、面状発光パネル１０の隙間領域を広く配置しても均一な発光が可能となるので、照明装置に使用する面状発光パネル１０の枚数を抑制することができる。その結果、照明装置のコストを抑えることができる。
【００５２】
図８および図９を参照して、ＡＣ／ＤＣ電源、駆動回路基板、ケーブル等の配置について説明する。図８は、第１光学部材２００の反射部材２１０を取り外した状態を示す平面図、図９は、図８中のＩＸ−ＩＸ線矢視図である。ベース部材２０１上の面状発光パネル１０により挟まれた領域も隙間領域５４Ｓと称する。
【００５３】
隙間領域５４Ｓには、ベース部材２０１が取付られている。ベース部材２０１上の隙間には、ＡＣ／ＤＣ電源３１０および面状発光パネル１０への電力供給を制御する駆動回路基板３２０が配置されている。
【００５４】
ＡＣ／ＤＣ電源３１０には、ケーブル３００により外部ＡＣ電源が接続される。ケーブル３００の一部は、隙間領域５４Ｓを通過するように配線される。ＡＣ／ＤＣ電源３１０により交流から直流に変換された電力は、ケーブル３１５を通じて、駆動回路基板３２０に供給される。ケーブル３１５は、隙間領域５４Ｓに配置される。
【００５５】
駆動回路基板３２０では、たとえば、面状発光パネル１０の発光または非発光が制御される。駆動回路基板３２０の上には、コネクター３３０が設けられており、面状発光パネル１０に電力を供給するケーブル３４０，３８０が接続される。本実施の形態では、面状発光パネル１０の間にケーブル３５０，３６０，３７０が配線されている。ケーブル３４０，３５０，３６０，３７０，３８０は、隙間領域５４Ｓに配置される。
【００５６】
面状発光パネル１０への電力の供給は、直列接続による供給、または、並列接続による供給のいずれでも構わないが、図８においては、直列接続の場合を示している。コネクター３３０を用いて、隣接する他の面状発光モジュール１００の面状発光パネル１０に電力を供給するようにしてもよい。これにより、複数の面状発光パネル１０および複数の面状発光モジュール１００を同時に制御することを可能とする。
【００５７】
上述したＡＣ／ＤＣ電源３１０、駆動回路基板３２０、コネクター３３０、およびケーブル３４０，３５０，３６０，３７０，３８０は、すべて隙間領域５４Ｓに配置されている。この隙間領域５４Ｓには、第１光学部材２００が取付られる。その結果、ＡＣ／ＤＣ電源３１０、駆動回路基板３２０、コネクター３３０、およびケーブル３４０，３５０，３６０，３７０，３８０は、第１光学部材２００によって覆われることとなる。
【００５８】
これにより、隙間領域５４Ｓにおける第１光学部材２００とベース部材２０１（モジュールパネル５４）との間の空間内に、ＡＣ／ＤＣ電源３１０、駆動回路基板３２０、コネクター３３０、およびケーブル３４０，３５０，３６０，３７０，３８０の機器等を収納していることから、第１光学部材２００を用いた輝度ムラの発生を抑制しながら、面状発光モジュール１００の薄型化を図ることが可能となる。さらには、この面状発光モジュール１００を用いた内照式照明装置１の薄型化を図ることが可能となる。
【００５９】
図１に示す内照式照明装置１は４組の面状発光ユニット１３０を用い、面状発光ユニット１３０は、４組の面状発光モジュール１００を用い、さらに、面状発光モジュール１００は、図５に示したように、４枚の面状発光パネル１０と１つの第１光学部材２００が用いられている。
【００６０】
したがって、隣接する面状発光モジュール１００の間にも隙間領域７０Ｓ(図２参照）が生じ、この隙間領域７０Ｓには、第１光学部材２００と同様の構造を有する第２光学部材４００が配置されている。この隙間領域７０Ｓにおいても、上記面状発光パネル１０同士の隙間領域５４Ｓと同様に、ＡＣ／ＤＣ電源３１０、駆動回路基板３２０、コネクター３３０、およびケーブル３４０，３５０，３６０，３７０，３８０を配置するようにしてもよい。
【００６１】
さらに、隣接する面状発光ユニット１３０の間にも隙間領域が生じ、この隙間領域には、第１光学部材２００と同様の構造を有する第３光学部材５００が配置されている。この隙間領域７０Ｓにおいても、上記面状発光パネル１０同士の隙間領域５４Ｓと同様に、ＡＣ／ＤＣ電源３１０、駆動回路基板３２０、コネクター３３０、およびケーブル３４０，３５０，３６０，３７０，３８０を配置するようにしてもよい。
【００６２】
（光学部材の他の形態）
図１０から図１３を参照して、光学部材の他の形態について説明する。図１０から図１３は、他の形態である第１光学部材２００Ａ，２００Ｂ，２００Ｃの構造を示す斜視図である。図１０から図１３に示す第１光学部材２００Ａ，２００Ｂ，２００Ｃも、上記第１光学部材２００と同様に十字形状を有しているが、一部記載を省略している。
【００６３】
上述の第１光学部材２００は、ベース部材２０１に位置決め用穴２０１ａおよび固定用穴２０１ｂを設けた場合について説明した。この場合には、予めベース部材２０１を隙間領域５４ｓに固定した後に、ベース部材２０１に反射部材２１０を取付ることとなる。
【００６４】
図１０に示す第１光学部材２００Ａは、ベース部材２０１の下面に、Ｌ字形状のブラケット２０５が設けられ、このブラケット２０５に位置決め用穴２０５ａおよび固定用穴２０５ｂが設けられている。これにより、ベース部材２０１に反射部材２１０を固定した後に、第１光学部材２００Ａをモジュールパネル５４の隙間領域５４Ｓに発光面側から取り付けることができる。
【００６５】
図１１に示す第１光学部材２００Ｂは、ベース部材２０１の下面に、溝付きピン２５１が設けられている。モジュールパネル５４の隙間領域５４Ｓに、図１２に示すだるま穴２０１Ｃを形成しておくことで、このだるま穴２０１Ｃに溝付きピン２５１を挿入し、第１光学部材２００Ｂをだるま穴２０１Ｃに沿ってスライドさせることで、容易に第１光学部材２００Ｂをモジュールパネル５４の隙間領域５４Ｓに発光面側から取り付けることができる。
【００６６】
図１３に示す第１光学部材２００Ｃは、ベース部材２０１の下面に、磁石２６１が設けられている。モジュールパネル５４の隙間領域５４Ｓに、磁石を設けておくことで、磁石の着磁力を利用して、容易に第１光学部材２００Ｃをモジュールパネル５４の隙間領域５４Ｓに発光面側から取り付けることができる。
【００６７】
上記実施の形態では、面状発光モジュール１００を４枚組み合わせた構成を面状発光ユニット１３０とし、この面状発光ユニット１３０を支持部材としての筺体６００に支持する構成を採用しているがこの構成に限定されない。複数の面状発光モジュール１００を、ユニットパネル７０を用いずに支持部材としての筺体６００に直接支持される構成の採用も可能である。ユニットパネル７０を支持部材として用い、筺体６００を用いない構成の採用も可能である。
【００６８】
光源として、有機ＥＬパネルに限定されず、平面状の面状発光パネル（光源）を使用することも可能であり、一般的に多く出回っている平面状のリジッドパネル、フレキシブルパネル、複数の面状発光パネルを平面状にモジュール化した発光パネル、または、一般的なフレキシブルパネルにも適用が可能であり、用途に合わせて入手性の良い光源を選択して使用することが可能となる。
【００６９】
以上、本発明の各実施の形態における内照式照明装置について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【００７０】
１  内照式照明装置、１０  面状発光パネル、１１  透明基板、１３  裏面、１４  陽極、１５  有機層、１６  陰極、１７  封止部材、１８  絶縁層、１９  背面、２０  分割領域、２１，２２  電極取出部、５４  モジュールパネル、５４Ｓ，７０Ｓ  隙間領域、５４ａ，５４ｂ  固定用穴、５４ｐ  位置決め用ピン、６０  照明パネル、７０  ユニットパネル、１００  面状発光モジュール、１２０  両面テープ、１３０  面状発光ユニット、２００，２００Ａ，２００Ｂ，２００Ｃ  第１光学部材、２０１  ベース部材、２０１Ｃ  だるま穴、２０１ａ，２０５ａ  位置決め用穴、２０１ｂ，２０５ｂ  固定用穴、２０２  立壁部、２０２ａ  固定用雌ねじ穴、２１０  反射部材、２１０ａ  ビス穴、２３０  ビス、２５１  溝付きピン、２６１  磁石、３００  ケーブル、３１０  ＡＣ／ＤＣ電源、３１５  ケーブル、３２０  駆動回路基板、３３０  コネクター、３４０，３５０，３６０，３７０，３８０  ケーブル、４００  第２光学部材、５００  第３光学部材。
【図１】
2015002041.tif 000003
【図２】
2015002041.tif 000004
【図３】
2015002041.tif 000005
【図４】
2015002041.tif 000006
【図５】
2015002041.tif 000007
【図６】
2015002041.tif 000008
【図７】
2015002041.tif 000009
【図８】
2015002041.tif 000010
【図９】
2015002041.tif 000011
【図１０】
2015002041.tif 000012
【図１１】
2015002041.tif 000013
【図１２】
2015002041.tif 000014
【図１３】
2015002041.tif 000015